(57)【要約】【課題】設定の確認や変更の操作性を改善すること。【解決手段】画面において互いに直交する２方向のうち一方の方向が信号の流れの方向として割り当てられ、情報処理のための複数の処理系統が前記一方の方向に沿った複数のラインとして表現され、少なくとも１つのライン上に、このラインに対応する処理系統の１以上の設定項目の名前および設定値が表示された１以上のブロックが配置されたＧＵＩデータを生成するＧＵＩ生成部と、生成されたＧＵＩデータを画面に表示する表示処理部とを具備する。【選択図】図２
2012221238.tif 000002
【特許請求の範囲】
【請求項１】
画面において互いに直交する２方向のうち一方の方向が情報の流れの方向として割り当てられ、情報処理のための複数の処理系統が前記一方の方向に沿った複数のラインとして表現され、少なくとも１つのライン上に、このラインに対応する前記処理系統の１以上の設定項目の名前および設定値が表示された１以上のブロックが配置されたＧＵＩデータを生成するＧＵＩ生成部と、
前記生成されたＧＵＩデータを前記画面に表示する表示処理部と
を具備する情報処理装置。
【請求項２】
請求項１に記載の情報処理装置であって、
前記ＧＵＩ生成部は、共通の情報が複数の前記処理系統の処理対象となることを前記ラインの分岐により表現したＧＵＩデータを生成する
情報処理装置。
【請求項３】
請求項２に記載の情報処理装置であって、
前記ＧＵＩ生成部は、分岐した複数の処理系統間で共通の設定値が与えられる必要のある設定項目のブロックを、当該処理系統毎のラインに分岐される直前のライン上に配置する
情報処理装置。
【請求項４】
請求項３に記載の情報処理装置であって、
前記ＧＵＩ生成部は、複数の前記処理系統間で共通の前記設定項目のブロックを、前記複数の処理系統にそれぞれ対応する複数のラインの上を跨るように配置する
情報処理装置。
【請求項５】
請求項４に記載の情報処理装置であって、
前記ＧＵＩ生成部は、複数の前記処理系統間で共通の前記設定項目のブロックに当該処理系統毎の設定値を表示する
情報処理装置。
【請求項６】
ＧＵＩ生成部が、画面において互いに直交する２方向のうち一方の方向が情報の流れの方向として割り当てられ、情報処理のための複数の処理系統が前記一方の方向に沿った複数のラインとして表現され、少なくとも１つのライン上に、このラインに対応する前記処理系統の１以上の設定項目の名前および設定値が表示された１以上のブロックが配置されたＧＵＩデータを生成し、
表示処理部が、前記生成されたＧＵＩデータを前記画面に表示する
設定用ＧＵＩ表示方法。
【請求項７】
被写体の撮像を行う撮像部と、
画面において互いに直交する２方向のうち一方の方向が、前記撮像部で得られた映像信号の流れの方向として割り当てられ、信号処理のための複数の処理系統が前記一方の方向に沿った複数のラインとして表現され、少なくとも１つのライン上に、このラインに対応する前記処理系統の１以上の設定項目の名前および設定値が表示された１以上のブロックが配置されたＧＵＩデータを生成するＧＵＩ生成部と、
前記生成されたＧＵＩデータを前記画面に表示する表示処理部と
を具備する撮像装置。
【発明の詳細な説明】
【技術分野】
【０００１】
本技術は、ＧＵＩを使って各種設定項目の値の確認および設定を行うことのできる情報処理装置、ＧＵＩ表示方法、撮像装置に関する。
【背景技術】
【０００２】
放送局用のビデオカメラやカメラ一体型ビデオテープレコーダなどのカメラは、多機能化によって設定項目の種類が相当な数となってきている。従来、これらの設定やステータスの確認は、カメラに設けられたモニターやビューファインダーに表示される画面を通して行われる。
【０００３】
例えば、特許文献１に記載される撮像システムでは、ニー処理，オートアイリス等の諸機能のパラメータを設定するためにパラメータ設定用ウインドウを採用している。このパラメータ設定用ウインドウでは、機能的に類似した項目や利用頻度の高い項目などが１つのウインドウ内にまとめて表示される。
【先行技術文献】
【特許文献】
【０００４】
【特許文献１】特開平１０−１２６６７３号公報（段落［０２２０］、図１７）
【発明の概要】
【発明が解決しようとする課題】
【０００５】
しかしながら、既存の設定用ＧＵＩでは、１画面に互いに何らの関係性を有する複数の設定項目が同時に表示されるとは言え、それらの設定項目の関係性の中身までは一見しただけでは分かりにくいなど、設定確認時や設定変更時の操作性を向上させるためのさらなる改善が望まれていた。
【０００６】
以上のような事情に鑑み、本技術の目的は、設定の確認や変更の操作性を、より改善することのできる情報処理装置、設定用ＧＵＩ表示方法、撮像装置を提供することにある。
【課題を解決するための手段】
【０００７】
上記の課題を解決するために、本技術の情報処理装置は、画面において互いに直交する２方向のうち一方の方向が情報の流れの方向として割り当てられ、情報処理のための複数の処理系統が前記一方の方向に沿った複数のラインとして表現され、少なくとも１つのライン上に、このラインに対応する前記処理系統の１以上の設定項目の名前および設定値が表示された１以上のブロックが配置されたＧＵＩデータを生成するＧＵＩ生成部と、前記生成されたＧＵＩデータを前記画面に表示する表示処理部とを具備する。
【０００８】
本技術では、処理系統と設定項目との関係を俯瞰することができ、設定の確認や変更の操作性をより改善することができる。
【０００９】
前記ＧＵＩ生成部は、共通の情報が複数の前記処理系統の処理対象となることを前記ラインの分岐により表現したＧＵＩデータを生成するものであってよい。
【００１０】
前記ＧＵＩ生成部は、分岐した複数の処理系統間で共通の設定値が与えられる必要のある設定項目のブロックを、当該処理系統毎のラインに分岐される直前のライン上に配置するようにしてもよい。これにより、共通の設定値が設定される必要のある設定項目を、その設定項目のブロックがどのライン上に配置されているかによってユーザが簡単に知ることができる。
【００１１】
前記ＧＵＩ生成部は、複数の前記処理系統間で共通の前記設定項目のブロックを、前記複数の処理系統にそれぞれ対応する複数のラインの上を跨るように配置するようにしてもよい。これにより、複数の処理系統間で共通の設定項目の設定値を一目で対比しつつ確認することができる。
【００１２】
前記ＧＵＩ生成部は、複数の前記処理系統間で共通の前記設定項目のブロックに当該処理系統毎の設定値を表示するようにしてもよい。
【００１３】
本技術の別の側面に基づく設定用ＧＵＩ表示方法は、ＧＵＩ生成部が、画面において互いに直交する２方向のうち一方の方向が情報の流れの方向として割り当てられ、情報処理のための複数の処理系統が前記一方の方向に沿った複数のラインとして表現され、少なくとも１つのライン上に、このラインに対応する前記処理系統の１以上の設定項目の名前および設定値が表示された１以上のブロックが配置されたＧＵＩデータを生成し、表示処理部が、前記生成されたＧＵＩデータを前記画面に表示することを特徴とする。
【００１４】
本技術のさらに別の側面に基づく撮像装置は、被写体の撮像を行う撮像部と、画面において互いに直交する２方向のうち一方の方向が、前記撮像部で得られた映像信号の流れの方向として割り当てられ、信号処理のための複数の処理系統が前記一方の方向に沿った複数のラインとして表現され、少なくとも１つのライン上に、このラインに対応する前記処理系統の１以上の設定項目の名前および設定値が表示された１以上のブロックが配置されたＧＵＩデータを生成するＧＵＩ生成部と、前記生成されたＧＵＩデータを前記画面に表示する表示処理部とを具備する。
【発明の効果】
【００１５】
以上のように、本技術によれば、設定の確認や変更の操作性がより改善される。
【図面の簡単な説明】
【００１６】
【図１】本技術に係る第１の実施形態の撮像装置の構成を示すブロック図である。
【図２】本実施形態の撮像装置で採用された設定用ＧＵＩの一部を示す図である。
【図３】Ｄｅｔａｉｌの詳細なパラメータの値の設定画面の例を示す図である。
【図４】Ｍａｒｋｅｒの詳細なパラメータの値の設定画面の例を示す図である。
【図５】変形例１の撮像装置の構成を示すブロック図である。
【図６】変形例１の設定用ＧＵＩを示す図である。
【図７】変形例２のシネモード時の設定用ＧＵＩを示す図である。
【図８】変形例２のカスタムモード時の設定用ＧＵＩを示す図である。
【発明を実施するための形態】
【００１７】
以下、本技術に係る実施形態を、図面を参照しながら説明する。
＜第１の実施形態＞
本実施形態は、本技術に係る情報処理装置を撮像装置に適用したものである。
図１は第１の実施形態の撮像装置の構成を示すブロック図である。
同図に示すように、この撮像装置１００はＣＨＵ（Camera Head Unit）１０から構成される。
【００１８】
ＣＨＵ１０は、レンズ１１、撮像素子１２、アナログ信号処理回路１３、Ａ／Ｄ変換部１４、信号処理回路１５、表示処理部１６、モニター１７、ビューファインダー１８、操作部１９、コントローラ２０（ＧＵＩ生成部）などを有する。その他、図示は省略したが、ＣＨＵ１０は、マイクロフォン、音声系のＡ／Ｄ変換部、音声系の信号処理回路などを有する。
【００１９】
レンズ１１は、被写体光をＣＨＵ１０内に取り込む。撮像素子１２は、レンズ１１を通して取り込んだ被写体光を光電変換して映像信号を得る。撮像素子１２は、例えばＣＣＤ（Charge Coupled Devices）等よりなる。
【００２０】
アナログ信号処理回路１３は、撮像素子１２から出力された映像信号に含まれるリセットノイズを除去するＣＤＳ（Correlated Double Sampling）回路や、ゲインの調整を行うＡＧＣ（Automatic Gain Control）回路等を有する。
【００２１】
Ａ／Ｄ変換部１４は、アナログ信号処理回路１３で処理が行われた映像信号をデジタルの映像信号に変換して出力する。信号処理回路１５は、デジタルに変換された映像信号に、ガンマ補正やニー補正、マトリクス処理等を施す。
【００２２】
なお、本例では撮像素子１２をＣＣＤで構成した場合を想定しているが、ＣＭＯＳ（Complementary Metal Oxide Semiconductor）で構成してもよく、この場合は、Ａ／Ｄ変換部１４までの処理が撮像素子１２内で行われる。
【００２３】
信号処理回路１５で処理された映像信号は、例えば外部のストレージ装置に出力されるとともに、表示処理部１６に出力される。表示処理部１６はコントローラ２０による制御によって、映像信号に対してモニタリングに適した処理を個別に施してモニター１７およびビューファインダー１８に出力する。これにより、ユーザはモニター１７およびビューファインダー１８を通して撮影中の画をモニタリングに適した形式で見ることができる。
【００２４】
操作部１９は、ＣＨＵ１０の操作や各種の設定のためのユーザからの指令を受け付けてコントローラ２０に供給する。コントローラ２０はＣＨＵ１０の全体的な制御を行うとともに、ＣＨＵ１０における各種の設定項目の値を確認したり変更したりするために用いられるＧＵＩ画面の表示データを生成して、撮影中の映像信号に代えて表示処理部１６に出力することができる。
【００２５】
［設定用ＧＵＩ］
撮像装置１００の多機能化により撮像装置１００における設定項目の数は非常に多くなってきている。既存の設定用ＧＵＩ（Graphical User Interface）では、このような多数の設定項目について、例えば、１画面に互いに何らの関連性を有する複数の設定項目を同時に表示するなどの対応をとっていることが多い。しかし、１図面に設けられた複数の設定項目に何らの関連性を有することをユーザが認識できたとしても、その関係性の意味までをユーザが把握することは困難である。
【００２６】
そこで、本実施形態の撮像装置１００では、各種の設定項目の設定および確認のための設定用ＧＵＩを次のように構成した。以下、映像出力系を例に本実施形態で採用した設定用ＧＵＩについて説明する。
【００２７】
図２は本実施形態の撮像装置１００で採用された設定用ＧＵＩの一部として、映像出力系の設定用ＧＵＩを示す図である。
設定用ＧＵＩ３０は、主に出力端子割当領域３１と設定項目表示領域３２とで構成される。
【００２８】
出力端子割当領域３１には、ＶＦ（ビューファインダー）出力端子割当部３３、ＳＤＩ（Serial Digital Interface）出力端子割当部３４、ＲＭ（リモートコントロールユニット）出力端子割当部３５が配置されている。
ＶＦ出力端子割当部３３は、"ＶＦ出力"と表記されている端子に対して、予め決められた複数の出力端子の１つをユーザが割り当てることのできる選択メニューである。なお、本例ではＶＦ（ビューファインダー）出力端子が割り当てられている。
ＳＤＩ出力端子割当部３４は、"ＳＤＩ出力"と表記されている端子に対して、予め決められた複数の出力端子の１つをユーザが割り当てることのできる選択メニューである。本例ではＭＯＮ（モニター）出力端子が割り当てられている。
ＲＭ出力端子割当部３５は、"ＲＭ出力"と表記されている端子に対して、予め決められた複数の出力端子の中の１つをユーザが割り当てることのできる選択メニューである。本例ではＶＢＳ（Video Burst Signal）出力端子が割り当てられている。ＶＢＳ（Video Burst Signal）は同期信号である。
出力端子割当領域３１には、これらの出力端子割当部３３−３５の他、伝送レートの情報、撮像レートの情報も表示される。
【００２９】
次に、設定項目表示領域３２について説明する。
設定項目表示領域３２内の表記において、"ＲＥＣ"は外部のストレージ装置に対する映像信号の処理系統（以下「本線処理系統」と呼ぶ。）を意味する。"ＶＦ"はビューファインダー１８に対する映像信号の処理系統（以下「ＶＦ処理系統」と呼ぶ。）を意味する。"ＭＯＮ"はモニター１７に対する映像信号の処理系統（以下「ＭＯＮ処理系統」と呼ぶ。）を意味する。"ＲＥＴ"は外部のＣＤＵ（Color Development Unit）またはストレージ装置からモニター１７およびビューファインダー１８への映像信号の処理系統（以下「ＲＥＴ処理系統」と呼ぶ。）を意味する。ＣＤＵについては後で説明する。
【００３０】
設定項目表示領域３２内の左側部分はカメラ撮像条件表示領域３６となっている。カメラ撮像条件表示領域３６には、例えば、ホワイトバランス、ＮＤフィルター、ゲイン、カラースペース、シャッターなどの設定値が表示される。
【００３１】
設定用ＧＵＩ３０では、原則的に、画面において互いに直交する例えば縦横などの２軸方向のうち一方の軸方向（例えば横軸方向）が信号の流れの方向として割り当てられている。それぞれの処理系統は、画面において信号の流れの方向として割り当てられた一方の軸方向（例えば横軸方向）に沿って互いに平行に描かれたそれぞれのライン５１、５２，５３，５４として表現されている。ここで「処理系統」とは、信号などの情報から最終的若しくは中間的な出力を得るまでに当該情報に対して行われる１以上の処理のことである。この１以上の処理は必ずしも処理の手順が決められている必要はない。それぞれの処理系統に対応するライン５１，５２，５３，５４は互いに他方の軸方向（例えば縦軸方向）における位置をずらして配置される。
以降、本線処理系統を表現するライン５１を「本線ライン５１」、ＶＦ処理系統を表現するライン５２を「ＶＦライン５２」、ＭＯＮ処理系統を表現するライン５３を「ＭＯＮライン５３」とそれぞれ呼ぶことにする。
【００３２】
共通の信号が複数の処理系統の処理対象となる場合がある。この場合には、ラインの分岐の表記によって信号と各処理系統との関係性、各処理系統どうしの関係性が表現される。例えば、本線処理系統、ＶＦ処理系統およびＭＯＮ処理系統が対象とする元々の映像信号は共通であるから、本線ライン５１から縦のライン５１ａが分岐され、さらにこの縦のライン５１ａからＶＦライン５２およびＭＯＮライン５３がそれぞれ分岐される。
【００３３】
また、処理系統を表現するラインの上には、その処理系統における設定項目毎にその設定項目の名前と設定値をそれぞれ表記した１以上のブロックが配置される。画面スペースの制約から、あるいは見た目の複雑さを押さえるために、設定用ＧＵＩ３０の設定項目表示領域３２には、上記４つの処理系統のうちの一部の処理系統における設定項目に対応するブロック４１−４６のみが表示される。例えば、図示された設定用ＧＵＩ３０には、ＶＦ処理系統とＭＯＮ処理系統における複数の設定項目それぞれに対応する複数のブロック４１−４６のみが表示されている。設定用ＧＵＩ３０の中の設定項目表示領域３２は、ＣＨＵ１０に設けられた操作部１９の操作によって例えば上下方向にスクロールされる。この設定用ＧＵＩ３０のスクロールによってブロックが表示される処理系統が切り替えられる。
【００３４】
ＶＦ処理系統とＭＯＮ処理系統の設定項目には例えば以下がある。
ＥＩ（Exposure Index）：露光指数、
Ｍｅｔａ：ＣＨＵ１０で生成されるメタデータをモニタリング映像に表示させるかどうか、
Ｄｅｔａｉｌ：輪郭の強調のＯＮ／ＯＦＦ、
Ｓｔａｔｕｓ：設定値をモニタリング映像に表示させるかどうか、
Ｍａｒｋｅｒ：センターマーカー、記録映像の表示範囲を示すマーカーなどをモニタリング映像に表示させるかどうか、
Ｚｅｂｒａ：ユーザが指定した輝度範囲の領域にゼブラ模様をつけるかどうか。
但し、これらは一例にすぎない。
【００３５】
また、複数の処理系統間で共通の設定項目が存在する場合がある。この場合には、その共通の設定項目のブロックが、それら複数の処理系統にそれぞれ対応する複数のラインの上を跨るように配置される。例えば、図２において、Ｓｔａｔｕｓ、Ｍａｒｋｅｒ、Ｚｅｂｒａの３つの設定項目はＶＦ処理系統とＭＯＮ処理系統の両方に存在する。この場合、ＶＦライン５２とＭＯＮライン５３の両方を跨るようにして、Ｓｔａｔｕｓの設定項目に対応するブロック４４、Ｍａｒｋｅｒの設定項目に対応するブロック４５、およびＺｅｂｒａの設定項目に対応するブロック４６が表示される。これら複数の処理系統間で共通の設定項目に対応するブロック４４、４５，４６には処理系統毎の設定値が表記される。これにより、複数の処理系統間で共通の設定項目の設定値を一目で対比しつつ確認することができる。
【００３６】
さらに、ラインの分岐がある場合には分岐した複数の処理系統間で共通の設定値が与えられる必要のある設定項目が存在することがある。例えば、図２において、ＶＦ処理系統とＭＯＮ処理系統とでは、ＥＩとＭｅｔａの各設定項目に設定される値は共通である必要がある。このような設定項目のブロック４１，４２は、処理系統毎のライン５２、５３に分岐される直前のライン、つまり図２においては本線ライン５１とＶＦライン５２およびＭＯＮライン５３とを接続する縦のライン５１ａ上に配置される。これにより、共通の設定値が設定される必要のある設定項目を、その設定項目のブロックがどのライン上に配置されているかによってユーザが簡単に知ることができる。
【００３７】
次に、設定項目の値を設定したり変更したりするときの操作方法について説明する。
ＣＨＵ１０の操作部１９には、画面のスクロール、フォーカス２４をあてるブロックの切り替え、設定値の設定などの操作を行うための手段として、例えば第１のロータリースイッチ２２、第２のロータリースイッチ２３などが設けられている（図１参照）。第１のロータリースイッチ２２を例えば時計回り方向に回すと画面が上にスクロールし、逆に反時計回り方向に回すと画面が下にスクロールする。これにより設定項目のブロックを表示させる処理系統を切り替えることができる。また、第２のロータリースイッチ２３を例えば時計回り方向に回すとフォーカス２４のあたるブロックが一定順序にシフトし、逆に反時計回り方向に回すと反対の順序でシフトする。そして、第２のロータリースイッチ２３を例えばプッシュすることなどによってフォーカス２４があてられた設定項目の設定値が切り替えられる。
【００３８】
ここで、Ｍｅｔａ、Ｄｅｔａｉｌ、Ｓｔａｔｕｓ、Ｍａｒｋｅｒ、Ｚｅｂｒａなどの設定項目の値はＯＮとＯＦＦとの間で切り替えられる。ＯＮの状態での設定項目の詳細な値は別画面にて予め設定される。図３はＤｅｔａｉｌの詳細なパラメータの値の設定画面の例を示す図である。このＤｅｔａｉｌの詳細なパラメータの値の設定画面は、例えば、Ｄｅｔａｉｌの設定項目にフォーカスがあたっている状態で第２のロータリースイッチ２３を２度押しあるいは長押しするなどの操作によって呼び出される。Ｄｅｔａｉｌの詳細なパラメータにはＬｅｖｅｌとＣｒｉｓｐがある。Ｌｅｖｅｌ、Ｃｒｉｓｐそれぞれのパラメータの値はゲージの操作によって行われる。それぞれのゲージの選択、操作は、例えば第２のロータリースイッチ２３の回転操作とプッシュ操作によって行われる。
【００３９】
図４はＭａｒｋｅｒの詳細なパラメータの値の設定画面の例を示す図である。このＭａｒｋｅｒの詳細なパラメータには、センターマーカーのＯＮ／ＯＦＦ、マーカータイプ、ＳａｆｅｔｙのＯＮ／ＯＦＦ、ＥｆｆｅｃｔｉｖｅのＯＮ／ＯＦＦなどがある。これらの詳細なパラメータの値の選択も例えば第２のロータリースイッチ２３の回転操作とプッシュ操作によって行われる。
【００４０】
以上のように、本実施形態の設定用ＧＵＩ３０では、それぞれの処理系統が、画面において信号の流れの方向として割り当てられた一方の軸方向に沿って互いに平行に描かれたそれぞれのラインとして表現されるとともに、処理系統のライン上に、この処理系統の設定項目の名前および設定値を表記した１以上のブロックが並べて配置される。これによって、処理系統と設定項目との関係を俯瞰することができ、設定の確認や変更の操作性をより改善することができる。
【００４１】
また、本実施形態の設定用ＧＵＩ３０では、複数の処理系統間で共通の設定項目が存在する場合、その共通の設定項目のブロックが、それら複数の処理系統にそれぞれ対応する複数のラインの上を跨るように配置される。これにより、複数の処理系統間で共通の設定項目の設定値を一目で対比しつつ確認することができる。
【００４２】
また、本実施形態の設定用ＧＵＩ３０では、分岐した複数の処理系統間で共通の設定値が与えられる必要のある設定項目が存在する場合、その設定項目のブロックが処理系統毎のラインに分岐される直前のライン上に配置される。これにより、共通の設定値が設定される必要のある設定項目を、その設定項目のブロックがどのライン上に配置されているかによってユーザが簡単に知ることができる。
【００４３】
＜変形例１＞
次に、第１の実施形態の変形例１を説明する。
この変形例１は、図５に示すように、ＣＨＵ１０Ａに、ＣＨＵ１０Ａから出力される映像信号のＲＡＷ現像処理などを行うことが可能なＣＤＵ（Color Development Unit）２１Ａが接続されている場合を想定したものである。ＣＤＵ２１Ａは、ＲＡＷデータの発色現像の他、ダウンコンバート、色変換、その他様々な画像処理を高品質に行うことのできるユニットである。
【００４４】
図６はロータリースイッチを操作して画面をスクロールさせることによってＣＤＵ処理系統の設定項目に対応するブロックを設定項目表示領域３２Ａに表示させた状態を示す図である。
【００４５】
この設定項目表示領域３２Ａ内の表記において、"ＣＨＵ"はＣＨＵ１０Ａを意味する。"４Ｋ"は４Ｋ解像度の映像信号を出力するための処理系統を意味する（以下「４Ｋ解像度処理系統」と呼ぶ。）。"２Ｋ"は２Ｋ解像度の映像信号を出力するための処理系統を意味する（以下「２Ｋ解像度処理系統」と呼ぶ。）。"ＶＦ"はＶＦ処理系統を意味する。"ＭＯＮ"はＭＯＮ処理系統を意味する。
【００４６】
設定用ＧＵＩ３０Ａには、４Ｋ解像度処理系統を表現する４Ｋ解像度ライン５５Ａ、２Ｋ解像度処理系統を表現する２Ｋ解像度ライン５６Ａ、ＶＦライン５２Ａ、およびＭＯＮライン５３Ａが、画面において信号の流れの方向として割り当てられた一方の軸方向（例えば横軸方向）に沿って互いに平行に描かれている。また、これらの４本のライン５５Ａ、５６Ａ、５２Ａ、５３Ａの処理系統で処理される元々の映像信号はＣＨＵ１０Ａの出力である。したがって、これらの４本のライン５５Ａ、５６Ａ、５２Ａ、５３ＡはＣＨＵ１０Ａの出力を示すライン５７Ａから分岐したものとして描かれている。
【００４７】
ＣＤＵ処理系統の設定項目としてはダウンコンバータおよび色管理などがある。ここで、ダウンコンバータは、２Ｋ解像度ライン５６Ａ、ＶＦライン５２Ａ、ＭＯＮライン５３Ａの３つの処理系統で用いられる。したがって、ダウンコンバータの設定項目のブロック４７Ａは、２Ｋ解像度ライン５６Ａ、ＶＦライン５２Ａ、ＭＯＮライン５３Ａに分岐される直前の縦の分岐ライン５８Ａ上に配置される。色管理は、この例では、４本のライン５５Ａ、５６Ａ、５２Ａ、５３Ａの処理系統において共通の値が設定される必要のある設定項目としている。そこで、この色管理の設定項目のブロック４８Ａは４本のライン５５Ａ、５６Ａ、５２Ａ、５３Ａを跨ぐようにして配置されている。
【００４８】
以下、ダウンコンバータおよび色管理の各設定項目の値について説明する。
ダウンコンバータの設定項目の値には、ＣＤＵ２１Ａでの高品位なダウンコンバートを指定する値と、ＣＨＵ１０Ａでの簡易的なダウンコンバートを指定する値とがある。
【００４９】
色管理の設定項目は、さらにカラースペース、ＡＳＣ ＣＤＬ、フィルムエミュレーション、ビューイングＬＵＴなどの設定項目に分類される。
カラースペースの設定項目の値には、"イメージセンサーの色域の歪みのみをとり、カメラ本来の広い色域に設定する。"、"既存のソニー製カメラ"、"ＤＣＩリファレンスプロジェクター"、"Ｒｅｃ７０９のモニター"などがある。
ＡＳＣ ＣＤＬ（The American Society of Cinematographers Color Decision List）は、ＡＳＣが定めるプライマリカラーグレーディングの情報を機器やソフトウェア間でやり取りするためのフォーマットである。ＡＳＣ ＣＤＬは、画の基本的なトーンや色合いをＳｌｏｐｅ, Ｏｆｆｓｅｔ，Ｌｉｆｔ，Ｐｏｗｅｒ，Ｓａｔｕｒａｔｉｏｎのパラメータで調整する。これらのパラメータは機器やソフトウェア間で互換性があり、そのパラメータを適用することで他の機器やソフトウェアで同じ画を再現することができる。
フィルムエミュレーションは、映画撮影用のフィルムの色合いを再現するための画像処理機能である。
ビューイングＬＵＴ（Look Up Table）は、映像のモニター１７やビューファインダー１８に最終映像のイメージに近い色合いやトーンの映像を表示するために用いられるテーブルである。
【００５０】
このように本技術は、様々な処理系統の設定項目の表示に応用し得るものである。
【００５１】
＜変形例２＞
次に、変形例２を説明する。
本変形例２は、同じ処理系統であっても、撮影モードに応じて必要とされる設定項目は変化することに対応させたものである。
【００５２】
例えば、撮像装置の撮像モードにはシネモード、カスタムモードなどがある。シネモードは、ポストプロダクション作業を前提としており、フィルムカメラのオペレーションに相当する撮影ができるモードである。一方、カスタムモードは、現場での画作りが可能なモードであり、ペイント機能を操作して現場での自由な映像調整が可能なモードである。したがって、カスタムモードにおいては、設定項目としてペイント機能が必要となってくる。
【００５３】
図７はシネモードが選択されているときの設定用ＧＵＩ３０Ｂ、図８はカスタムモードが選択されているときの設定用ＧＵＩ３０Ｂを示す図である。本変形例２では、カスタムモードが選択されているとき設定用ＧＵＩ３０Ｂの設定項目表示領域３２Ｂに、シネモードが選択されているときには表示されないペイントの設定項目のブロック６１Ｂが本線ライン５１Ｂ上に現れるようにした。このように本変形例２では、同じ処理系統であっても、撮影モードに応じて必要な設定項目のブロックを表示できるので、設定漏れの発生を効果的に回避できる。
【００５４】
なお、変形例２では、撮影モードの切り替えに応じて必要な設定項目のブロックを表示したり消したりする場合について説明したが、本技術は、撮影モード以外の様々な種類のモードの切り替えに応じて、必要な設定項目のブロックを表示したり消したりする場合にも応用できることはいうまでもない。また、互いに依存関係を有する複数の設定項目間、例えば、ある設定項目の設定値に応じて別の設定項目の設定値を変更できない状態や、逆に設定しなければならない場合に、そのことを設定用ＧＵＩ上でユーザに認識させるような表示をしたり、設定値の変更を禁止したりするようにしてもよい。
【００５５】
また、処理系統を画面の横軸方向に沿ったラインで表現することとしたが、縦軸方向に沿ったラインで表現してもよい。さらに、ラインの向きは必ずしも画面の横軸や縦軸に沿っている必要はなく、画面において傾けてもよい。
【００５６】
また、本技術を撮像装置に採用した場合の実施形態を説明したが、本技術は、信号などの情報に対する複数の処理系統を有し、かつ処理系統毎に設定項目を有するものであれば、撮像装置以外の情報処理装置にも採用することができるものである。例えば、録画装置、ゲーム機、携帯電話、プレーヤ機器、テレビジョンなどの情報処理装置に本技術は有益に利用され得る。
【００５７】
なお、本技術は以下のような構成も取ることができる。
（１）画面において互いに直交する２方向のうち一方の方向が信号の流れの方向として割り当てられ、情報処理のための複数の処理系統が前記一方の方向に沿った複数のラインとして表現され、少なくとも１つのライン上に、このラインに対応する前記処理系統の１以上の設定項目の名前および設定値が表示された１以上のブロックが配置されたＧＵＩデータを生成するＧＵＩ生成部と、
前記生成されたＧＵＩデータを前記画面に表示する表示処理部とを具備する情報処理装置。
（２）前記（１）に記載の情報処理装置であって、
前記ＧＵＩ生成部は、共通の情報が複数の前記処理系統の処理対象となることを前記ラインの分岐により表現したＧＵＩデータを生成する情報処理装置。
（３）前記（２）に記載の情報処理装置であって、
前記ＧＵＩ生成部は、分岐した複数の処理系統間で共通の設定値が与えられる必要のある設定項目のブロックを、当該処理系統毎のラインに分岐される直前のライン上に配置する情報処理装置。
（４）前記（１）から（３）のいずれかに記載の情報処理装置であって、
前記ＧＵＩ生成部は、複数の前記処理系統間で共通の前記設定項目のブロックを、前記複数の処理系統にそれぞれ対応する複数のラインの上を跨るように配置する情報処理装置。
【符号の説明】
【００５８】
１０…ＣＨＵ
１１…レンズ
１２…撮像素子
１３…アナログ信号処理回路
１４…Ａ／Ｄ変換部
１５…信号処理回路
１６…表示処理部
１７…モニター
１８…ビューファインダー
１９…操作部
２０…コントローラ
３０…設定用ＧＵＩ
４１−４６…ブロック
５１…本線ライン
５２…ＶＦライン
５３…ＭＯＮライン
１００…撮像装置
【図１】
2012221238.tif 000003
【図２】
2012221238.tif 000004
【図５】
2012221238.tif 000005
【図６】
2012221238.tif 000006
【図７】
2012221238.tif 000007
【図８】
2012221238.tif 000008
【図３】
2012221238.tif 000009
【図４】
2012221238.tif 000010